(57)【特許請求の範囲】
【請求項１】
支持枠体上に取付けた天板の端部を突合せ状にして連結するテーブル等の連結構造において、
一方の支持枠体を形成する略長方筒状の枠材の対設する縦縁に対応して頭部を有する連結軸を挿通する挿通孔を貫設し、内側となる縦縁には挿通孔より所定の位置に挿通窓部を開設し、同枠材の外側縦縁の挿通孔より前記挿通窓部と反対側の位置に保持窓部を開設し、
この枠材の挿通窓部に近接して一端部を止着し、同挿通窓部より挿通されて前記保持窓部に指向する係止片を延出し、かつ先端部に略Ｕ字形状に折曲されて保持窓部より外側に突出する保持部を有する板ばね部材を配設するとともに、この板ばね部材の係止片には挿通孔間に斜状に位置して前記連結軸を挿通可能に係止孔を貫設して、枠材の外側縦縁の挿通孔より連結軸を挿通して前記係止孔と弾性係止する構成としたことを特徴とするテーブル等の連結構造。
【請求項２】
支持枠体上に取付けた天板の端部を突合せ状にして連結するテーブル等の連結構造において、
一方の支持枠体を形成する略長方筒状の枠材の対設する縦縁に対応して頭部を有する連結軸を挿通する挿通孔を貫設し、内側となる縦縁には挿通孔より所定の位置に挿通窓部を開設し、同枠材の外側縦縁の挿通孔より前記挿通窓部と反対側の位置に保持窓部を開設し、
この枠材の挿通窓部に近接して一端部を止着し、同挿通窓部より挿通されて前記保持窓部に指向する係止片を延出し、かつ先端部に略Ｕ字形状に折曲されて保持窓部より外側に突出する保持部を有する板ばね部材を配設するとともに、この板ばね部材の係止片には挿通孔間に斜状に位置して前記連結軸を挿通可能に係止孔を貫設し、
他方の支持枠体の枠材には、前記板ばね部材を有する枠材の挿通孔と整合する挿通孔を貫設して、この挿通孔より前記連結軸を板ばね部材を有する枠材の挿通孔に向けて挿通して前記係止孔と弾性係止する構成としたことを特徴とする請求項１のテーブル等の連結構造。
【請求項３】
支持枠体上に取付けた天板の端部を突合せ状にして連結する連結構造において、
天板の突合せ部で対設される枠材の両端部寄りの連結部にそれぞれ整合して頭部を有する連結軸を挿通する挿通孔を貫設し、この連結部の枠材の対角状位置に係止孔を有する板ばね部材を配設して、板ばね部材のない枠材の挿通孔より頭部を有する連結軸を対向状に挿通して板ばね部材の係止孔と弾性係止する構成としたことを特徴とする請求項２のテーブル等の連結構造。
【請求項４】
前記板ばね部材の係止片は枠材の縦縁の間に斜状に位置し、その係止片に貫設された係止孔は縦縁に貫設した挿通孔の中心線上にあって、同係止孔の保持部側の円弧縁は中心線寄りに位置する構成としたことを特徴とする請求項１、請求項２または請求項３のテーブル等の連結構造。
【発明の詳細な説明】
【０００１】
【発明の属する技術分野】
この発明は、複数のテーブル等を並べたり、組合わせたりして使用する場合に、これらテーブル等の枠部材相互を連結固定する連結構造に関する。
【０００２】
【従来の技術】
従来、この種のテーブル等の連結構造としては、例えば特開平6-169826号公報、実公平4-43068 号公報、特公平7-73545 号公報、実開平6-46529 号公報に開示された技術がある。
【０００３】
【発明が解決しようとする課題】
しかしながら、この従来の特開平6-169826号公報、実公平4-43068 号公報、特公平7-73545 号公報の技術内容はねじ部材と連結枠部材の組合わせによる連結構成であり、構成部品が多く、また、テーブルの加工工数を多く要してコスト高となる問題があり、また、特公平7-73545 号公報の技術内容では連結構成はシンプルであるがテーブル側に格別の加工を施さなければならない問題がある。
本発明は、上記従来の問題点を解決するためになされたもので、極めて簡単な構成でテーブル等を容易に、かつ確実に連結固定することができ、簡単に分離することのできる連結構造を提供することを目的とするものである。
【０００４】
【課題を解決するための手段】
本発明は、上記技術課題を解決するため、
請求項１の発明は、支持枠体上に取付けた天板の端部を突合せ状にして連結するテーブル等の連結構造において、一方の支持枠体を形成する略長方筒状の枠材の対設する縦縁に対応して頭部を有する連結軸を挿通する挿通孔を貫設し、内側となる縦縁には挿通孔より所定の位置に挿通窓部を開設し、同枠材の外側縦縁の挿通孔より前記挿通窓部と反対側の位置に保持窓部を開設し、この枠材の挿通窓部に近接して一端部を止着し、同挿通窓部より挿通されて前記保持窓部に指向する係止片を延出し、かつ先端部に略Ｕ字形状に折曲されて保持窓部より外側に突出する保持部を有する板ばね部材を配設するとともに、この板ばね部材の係止片には挿通孔間に斜状に位置して前記連結軸を挿通可能に係止孔を貫設して、枠材の外側縦縁の挿通孔より連結軸を挿通して前記係止孔と弾性係止する構成としたことであり、
請求項２の発明は、支持枠体上に取付けた天板の端部を突合せ状にして連結するテーブル等の連結構造において、一方の支持枠体を形成する略長方筒状の枠材の対設する縦縁に対応して頭部を有する連結軸を挿通する挿通孔を貫設し、内側となる縦縁には挿通孔より所定の位置に挿通窓部を開設し、同枠材の外側縦縁の挿通孔より前記挿通窓部と反対側の位置に保持窓部を開設し、この枠材の挿通窓部に近接して一端部を止着し、同挿通窓部より挿通されて前記保持窓部に指向する係止片を延出し、かつ先端部に略Ｕ字形状に折曲されて保持窓部より外側に突出する保持部を有する板ばね部材を配設するとともに、この板ばね部材の係止片には挿通孔間に斜状に位置して前記連結軸を挿通可能に係止孔を貫設し、他方の支持枠体の枠材には、前記板ばね部材を有する枠材の挿通孔と整合する挿通孔を貫設して、この挿通孔より前記連結軸を板ばね部材を有する枠材の挿通孔に向けて挿通して前記係止孔と弾性係止する構成としたことであり、
請求項３の発明は、支持枠体上に取付けた天板の端部を突合せ状にして連結する連結構造において、天板の突合せ部で対設される枠材の両端部寄りの連結部にそれぞれ整合して頭部を有する連結軸を挿通する挿通孔を貫設し、この連結部の枠材の対角状位置に係止孔を有する板ばね部材を配設して、板ばね部材のない枠材の挿通孔より頭部を有する連結軸を対向状に挿通して板ばね部材の係止孔と弾性係止する構成としたことであり、
請求項４の発明は、前記板ばね部材の係止片は枠材の縦縁間に斜状に位置し、同係止片に貫設された係止孔は縦縁に貫設した挿通孔の中心線上にあって、同係止孔の保持部側の円弧縁は中心線寄りに位置する構成としたテーブル等の連結構造である。
【０００５】
【発明の効果】
テーブルの連結部において、板ばね部材のない枠材の挿通孔より頭部を有する連結軸を挿入して、板ばね部材を有する枠材に板ばね部材を作動して枠材の挿通孔と板ばね部材の係止片の係止孔に連結軸を挿通して板ばね部材の作動を解くことで、係止孔の円弧状の縁部が連結軸に押圧状に当接して、連結軸を枠材の挿通孔の縁部へ押圧し、連結軸は枠材の両縁部と係止孔の縁部により３点挾持され、係止孔の縁部は連結軸に喰込み状となり縦枠材と角部枠材とは連結される。これにより、連結棒を引抜き方向へ外力が加わっても、この３点挾持によりその引抜きは阻止されて連結状態を維持することができ、枠材への挿通孔の貫設と板ばね部材と連結軸という簡単な構成で容易に、かつ確実に連結することができる。
また、対設される枠材の両端寄り連結部において、相互に逆構成で板ばね部材は対角状位置に配設され、連結軸は相互に相反する方向から挿入連結するので、テーブルに分離方向に外力が作用しても、連結状態を維持することができる。
また、テーブルを連結しない時には、連結軸は板ばね部材を取付けた枠材の挿通孔に挿通することで、板ばね部材の係止孔を介して挾着固定されるので紛失することがなく、また、不用意に突出して衣服等を損傷することがなく、また、天板の支持枠体内に納め状に位置するのでテーブルの外観を損なうことがない。
【０００６】
【発明の実施の形態】
次に、発明の実施形態を図面にしたがって説明すると、図１は例えば長テーブル１とコーナーテーブル７とを連結した平面図、図２は側面図を示すもので、この長テーブル１は略長方形状の天板２と、下面側に取付けられる横枠材４と縦枠材５とが略長方形状に枠組みされた支持枠体３と、この支持枠体３の各コーナー部には所定の長さの脚部６が取付けられて長テーブル１が形成されている。
【０００７】
また、コーナーテーブル７は長テーブル１の幅寸法（奥行き幅）と同幅を片とする略扇形形状の天板８と、同じく縦枠材５と同長さの角部枠材１０と円弧状の円弧枠材１１とにより略扇形形状の扇形支持枠体９と長テーブル１の脚部６と同じ長さの脚部１２が取付けられて、両テーブル１，７を図示のように天板２，８の端面を突合わせ状に並設すると、天板８は長テーブル１の天板２と同位となるように設けられている。
【０００８】
また、支持枠体３，９を構成する各枠材４，５，１０，１１は図４に示すように断面略長方筒形状の枠材により形成されている。このように形成された長テーブル１と長テーブル１およびコーナーテーブル７の連結は図１に示すように例えば長テーブル１の縦枠材５相互間あるいは長テーブル１とコーナーテーブル７との縦枠材５と角部枠材１０との両端部寄りの連結位置Ａ1,Ａ2 で連結されるもので、その連結は以下のように構成されている。
【０００９】
例えば長テーブル１とコーナーテーブル７とを連結するために、相互の天板２，８の端面を図３および図４に示すように突合せ状にすると、縦枠材５と角部枠材１０は所定の間隔ｈで位置されている。この状態で連結位置Ａ1 においては図５に示すように縦枠材５と角部枠材１０の縦縁５ａ，５ｂ，１０ａ，１０ｂには中心線Ｃ上に整合して所定の径ｄを有する嵌通孔１５ａ，１５ｂ，１６ａ，１６ｂが貫設されている。そして、この両嵌通孔１５ａ，１５ｂ，１６ａ，１６ｂに挿通可能な所定長さの軸部１７ａと頭部１７ｂとからなる連結軸１７を挿通するように設けられている。
【００１０】
また、例えば連結位置Ａ1 の縦枠材５には連結軸１７を係止するばね部材等からなる板ばね部材２１が取付けられている。この板ばね部材２１を取付けるため、例えば長テーブル１の縦枠材５の一方の縦縁５ａの挿通孔１５ａより所定の位置には板ばね部材２１の取付孔１８が貫設され、この嵌通孔１５ａと取付孔１８との間には略方形状で板ばね部材２１を挿通する挿通窓部１９が貫設されている。また、縦枠材５の他方の縦縁５ｂの挿通孔１５ｂに対する上記挿通窓部１９とは反対側の位置には板ばね部材２１の保持部２４を挿通する略方形状の保持窓部２０が貫設されている。
【００１１】
また、この板ばね部材２１は図示のように窓部１９，２０に挿通可能な帯状のばね部材からなるもので、図５および図６に示すように縦枠材５ａの取付孔１８の外側に沿って取付けられる取付片２２と、この取付片２２より挿通窓部１９に挿通され、保持窓部２０に向けて所定の角度で傾斜する係止片２３が形成され、この係止片２３の端部には保持窓部２０に出入り可能に挿入保持される略Ｕ字形状に屈曲形成された保持部２４が形成されている。また、この係止片２３の幅中心の所定の位置には挿通孔１５，１６より若干大径の係止孔２５が貫設されている。
【００１２】
このように形成された板ばね部材２１はその係止片２３が挿入窓部１９より縦枠材５内に挿入されて先端側の保持部２４は保持窓部２０に挿入されて縦縁５ｂの外側に突出されている。そして、取付片２２は取付孔１８に対し、例えば樹脂製のクリップ２６により止着されている。このように取付けられた板ばね部材２１の自然状態において、図５に示すように、係止孔２５は中心線Ｃ上にあって斜状に位置し、同係止孔２５の保持部２４側の円弧状の縁部２５ａは挿通孔１５，１６の中心線Ｃ寄りに位置して連結軸１７の挿入経路上に位置されている。なお、この連結部Ａ1 と反対側の連結部Ａ2 においては図１に示すように板ばね部材２１は対角状位置である扇形支持枠体９の角部枠材１０側に取付ける構成となっている。
【００１３】
このように長テーブル１とコーナーテーブル７の天板２，８の端部を突合せ状に並設して、縦枠材５と角部枠材１０との相互に貫設した挿通孔１５ａ，１５ｂ，１６ａ，１６ｂを整合した状態で、連結部Ａ1 において図７および図８に示すように、板ばね部材２１を取付けていない角部枠材１０の内方（扇形支持枠体９の内方）より挿通孔１５ｂ，１５ａに連結軸１７を挿入する。そして、板ばね部材２１の縦枠材５の保持窓部２０より突出された保持部２４の端部を押圧して縦枠材５内へ押込むと、係止片２３は縦縁５ａ側へ弾性変位され、同係止片２３に貫設した係止孔２５は中心線Ｃ上で挿通孔１５ａ，１５ｂとほぼ平行状に位置され、この状態で連結軸１７を押込むと、同連結軸１７は挿通孔１５ｂ、係止孔２５および挿通孔１５ａに挿通され、頭部１７ｂを縦縁１０ｂに当接し、保持部２４の押込み力を解く。
【００１４】
この保持部２４への押込み力を解くことで、係止片２３は弾性復元されて保持部２４は保持窓部２０より突出され、これにより図８に示すように係止孔２５の円弧状の縁部２５ａが連結軸１７に押圧状に当接され、この復元力により同連結軸１７を挿通孔１５ａ，１５ｂの円弧状の縁部１５ｃ側へ押圧し、連結軸１７は両縁部１５ｃと縁部２５ａにより３点挾持され、この係止孔２５の円弧状の縁部２５ａは連結軸１７の軸部１７ａに喰込み状となり縦枠材５と角部枠材１０とは連結される。これにより、連結棒１７を引抜き方向へ外力が加わっても、この縦縁５ａ，５ｂの挿通孔１５ａ，１５ｂの円弧状の縁部１５ｃと係止片２３の係止孔２５の円弧状の縁部２５ａによる３点挾持によりその引抜きは阻止されて連結状態を維持することができる。
【００１５】
そして、この連結状態を解く場合は、板ばね部材２１の保持部２４を押圧することで、係止片２３は弾性変位して係止孔２５が挿通孔１５ａ，１５ｂとほぼ平行状となって連結軸１７の引抜きが可能となり、連結を解くことができる。
【００１６】
また、連結部Ａ2 側においては連結部Ａ1 とは逆構成となっており、角部枠材１０に板ばね部材２１が設けられ、連結軸１７は長テーブル１の縦枠材５側より挿入して連結する構成であるから、連結部Ａ1,Ａ2 は相互に相反する方向で連結するので、この長テーブル１あるいはコーナーテーブル７に分離方向に外力が作用しても、連結状態を維持することができる。
【００１７】
また、この連結軸１７は他のテーブル等と連結しない時には、板ばね部材２１を取付けた縦枠材５あるいは角部枠材１０の挿通孔１５，１６に挿通することで、板ばね部材２１の係止孔２５を介して挾着固定されるので紛失することがなく、また、不用意に突出して衣服等を損傷することがなく、また、天板２，８の支持枠体３，９内に納め状に位置するのでテーブル１，７の外観を損なうことがない。
【００１８】
なお、上記実施形態においては長テーブル１と長テーブル１、長テーブル１とコーナーテーブル７との連結を例示したが、これに限定するものではなく、例えば机と机、椅子と椅子等の連結にも適用し得るものである。
【図面の簡単な説明】
【図１】連結したテーブルの平面図である。
【図２】図１の側面図である。
【図３】連結部の一部拡大図である。
【図４】図３の縦断面図である。
【図５】図３の水平断面図である。
【図６】連結部の斜視図である。
【図７】連結過程の説明図である。
【図８】連結固定の説明図である。
【符号の説明】
１  長テーブル
２，８  天板
３，９  支持枠体
５  縦枠材（枠材）
７  コーナーテーブル
１０  角部枠材（枠材）
１５ａ，１５ｂ，１６ａ，１６ｂ  挿通孔
１７  連結軸
１７ａ  軸部
１７ｂ  頭部
１９  挿通窓部
２０  保持窓部
２１  板ばね部材
２３  係止片
２５  係止孔
２５ａ  係止孔の一部の円弧状縁部
【図１】
0003790014.tif 000002
【図２】
0003790014.tif 000003
【図３】
0003790014.tif 000004
【図４】
0003790014.tif 000005
【図５】
0003790014.tif 000006
【図６】
0003790014.tif 000007
【図７】
0003790014.tif 000008
【図８】
0003790014.tif 000009